(57)【特許請求の範囲】
【請求項１】
遊技機枠と、
前記遊技機枠の内部に取り付けられる遊技盤と、
前記遊技盤の裏面側を略覆って当該遊技盤に取り付けられる盤裏カバーと、
前記盤裏カバーと前記遊技盤とにより形成される内部空間に配されることにより、又は、前記盤裏カバーの外表面に配されることにより、前記遊技盤に取り付けられる主基板ケースであって、遊技を制御する制御基板を収納する主基板ケースと、を備えたパチンコ遊技機において、
前記遊技機枠は、前記盤裏カバーを当該遊技機枠に外れ不能に締結可能な締結手段を備え、
前記遊技機枠は、外枠と、前記外枠の内側に回動自在に取り付けられた内枠とを備え、
前記遊技盤は、前記内枠に取り付けられ、
前記締結手段は、前記外枠と前記盤裏カバーとを締結することを特徴とするパチンコ遊技機。
【請求項２】
遊技機枠と、
前記遊技機枠の内部に取り付けられる遊技盤と、
前記遊技盤の裏面側を略覆って当該遊技盤に取り付けられる盤裏カバーと、
前記盤裏カバーと前記遊技盤とにより形成される内部空間に配されることにより、又は、前記盤裏カバーの外表面に配されることにより、前記遊技盤に取り付けられる主基板ケースであって、遊技を制御する制御基板を収納する主基板ケースと、を備えたパチンコ遊技機において、
前記遊技機枠は、前記盤裏カバーを当該遊技機枠に外れ不能に締結可能な締結手段を備え、
前記締結手段は、前記盤裏カバーに設けられるカバー側封止部と、前記遊技機枠に設けられる枠側封止部とを備え、前記カバー側封止部と前記枠側封止部とを締結することにより前記盤裏カバーを前記遊技機枠に締結する構成とされ、
前記枠側封止部は、複数設けられ、前記カバー側封止部に対して移動可能とされていることを特徴とするパチンコ遊技機。
【発明の詳細な説明】
【技術分野】
【０００１】
本発明は、パチンコ遊技機に関し、特に、パチンコ遊技機が備える制御基板への不正行為の防止に関する。
【背景技術】
【０００２】
現在、パチンコ遊技機として、遊技盤が遊技機枠に取り付けられた状態では主基板ケースを遊技盤から取り外すことができないように構成されたものが知られている。具体的には、主基板ケースが遊技盤の裏面を覆う盤裏カバーに取り付けられており、主基板ケースを盤裏カバーから取り外すためには、主基板ケースを盤裏カバーに対してスライドさせる必要があるが、遊技盤が遊技機枠に取り付けられた状態では、主基板ケースの取り外し方向に払出装置が配置されるため、主基板ケースをスライドさせることができず、主基板ケースを遊技盤から取り外すことができないように構成されている。
【０００３】
なお、下記特許文献１には、カバー部材により遊技機枠全体を後方から覆ってそのカバー部材を遊技機枠に締結することにより主基板ケースを遊技盤から取り外すことができないように構成したパチンコ遊技機が記載されている。しかし、カバー部材により遊技機枠全体を後方から覆うという構成は、パチンコ遊技機とホール内の設備との接続を考慮すると、現実的なものではない。
【先行技術文献】
【特許文献】
【０００４】
【特許文献１】特開２００９−１８３７５４号公報
【発明の概要】
【発明が解決しようとする課題】
【０００５】
上述したような、遊技盤が遊技機枠に取り付けられた状態では主基板ケースを遊技盤から取り外すことができないパチンコ遊技機に対して不正行為を行う場合、不正行為者は、まず遊技盤を遊技機枠から取り外し、その後、主基板ケースを遊技盤から取り外して、主基板ケース内の制御基板を不正基板に変更したり、改造したりしている。なお、不正基板とは、不正な遊技プログラムが記憶された制御基板をいう。
【０００６】
そこで本発明では、上記事情に鑑み、遊技盤を遊技機枠から取り外し難くして、不正行為がなされにくいパチンコ遊技機を提供することを目的とする。
【課題を解決するための手段】
【０００７】
本発明のパチンコ遊技機は、遊技機枠と、前記遊技機枠の内部に取り付けられる遊技盤と、前記遊技盤の裏面側を略覆って当該遊技盤に取り付けられる盤裏カバーと、前記盤裏カバーと前記遊技盤とにより形成される内部空間に配されることにより、又は、前記盤裏カバーの外表面に配されることにより、前記遊技盤に取り付けられる主基板ケースであって、遊技を制御する制御基板を収納する主基板ケースと、を備えたパチンコ遊技機において、前記遊技機枠は、前記盤裏カバーを当該遊技機枠に外れ不能に締結可能な締結手段を備え、前記遊技機枠は、外枠と、前記外枠の内側に回動自在に取り付けられた内枠とを備え、前記遊技盤は、前記内枠に取り付けられ、前記締結手段は、前記外枠と前記盤裏カバーとを締結することを特徴とする。
【００１１】
また、本発明のパチンコ遊技機では、前記締結手段は、前記盤裏カバーに設けられるカバー側封止部と、前記遊技機枠に設けられる枠側封止部とを備え、前記カバー側封止部と前記枠側封止部とを締結することにより前記盤裏カバーを前記遊技機枠に締結する構成とされ、前記枠側封止部は、複数設けられ、前記カバー側封止部に対して移動可能とされている構成とすることができる。
【発明の効果】
【００１２】
本発明によれば、締結手段により盤裏カバーと遊技機枠とを締結することにより、盤裏カバーを介して遊技機枠に締結されている遊技盤を、遊技機枠から取り外し難くすることができる。よって、遊技盤に取り付けられている主基板ケースに収納された制御基板に対する不正行為の発生を抑制し得る。
【図面の簡単な説明】
【００１３】
【図１】本発明の第１実施形態のパチンコ遊技機１の背面側を示す概略図である。
【図２】同パチンコ遊技機が備える遊技盤の背面側を示す概略分解斜視図である。
【図３】同パチンコ遊技機が備える基板ケースの概略分解斜視図である。
【図４】同パチンコ遊技機が備える遊技機枠を示す概略斜視図であり、ガラス扉枠、前枠及び内枠を互いに開錠した状態を示す図である。
【図５】同パチンコ遊技機の背面側を示す概略斜視図である。
【図６】図１のVI−VI概略断面図であり、（ａ）は、封止手段により盤裏カバーを内枠に対して取り外し不能に締結する作業を示し、（ｂ）は、盤裏カバーを内枠に対して取り外し不能に締結した後の封止手段近傍を示している。
【図７】盤裏カバーを内枠に対して取り外し不能に締結した後において、枠側封止部を内枠から取り外す動作を示す概略斜視図である。
【図８】第１実施形態のパチンコ遊技機１において、締結部材を下方へスライドさせた状態を示す背面側の概略斜視図である。
【図９】本発明の第２実施形態のパチンコ遊技機の背面側を示す概略斜視図である。
【図１０】同実施形態のパチンコ遊技機において、ガラス扉枠と内枠とを共に開いた状態を示す概略平面図である。
【図１１】変更例に係るパチンコ遊技機の背面側を示す概略斜視図である。
【発明を実施するための形態】
【００１４】
１．第１実施形態
図１は、本発明の第１実施形態のパチンコ遊技機の背面側を示す概略図である。図１に示すように、第１実施形態のパチンコ遊技機１は、遊技機枠４０の内部に遊技盤２を取り付けて構成されている。遊技盤２の裏面２ａ側には、盤裏カバー３０が配され、盤裏カバー３０の外表面（後面）３０ａには、主制御基板（遊技制御基板）５を覆った主基板ケース１０が配設されている。また、主基板ケース１０の下方に位置する遊技機枠４０（後述する内枠４２）の下部には、払出制御基板６を覆った払出基板ケース７が配設されている。また、払出基板ケース７の左方には、電源基板８を覆った電源基板ケース９が配設されている。なお、本明細書中、上下方向および左右方向は、図１に示す遊技盤２の裏面２ａ側を基準とし、また、前後方向は、遊技盤２の裏面２ａ側を後方とし、遊技盤２の前面側を前方とする。
【００１５】
図２は、パチンコ遊技機１が備える遊技盤２の背面側を示す概略分解斜視図である。図２に示すように、パチンコ遊技機１は、遊技盤２と、遊技盤２の裏面２ａ側に取り付けられる盤裏カバー３０と、盤裏カバー３０の外表面３０ａに取り付けられる主基板ケース１０とを備えている。
【００１６】
遊技盤２は、ベニヤ板で形成されている。遊技盤２は、前後方向にくりぬかれた中央部に、後方から液晶ベース（センター役物装置の後ろ側を構成する部材）３を配置させ、さらにその後方から液晶表示装置４を配置させている。
【００１７】
盤裏カバー３０は、無色透明又は有色透明の合成樹脂材料（例えば、透明なポリカーボネート等）から形成されている。盤裏カバー３０は、遊技盤２の裏面２ａ側において上側下側左側右側および後側を略覆うものである。
【００１８】
盤裏カバー３０は、後壁部３１に、開閉可能な盤裏カバー蓋３２を有している。また、盤裏カバー３０は、周壁部３３の前縁から外方へ延設されたフランジ部３４を備えている。盤裏カバー３０は、ネジなどの締結手段を用いて、フランジ部３４を遊技盤２の裏面２ａ側の周縁部に締結することにより、遊技盤２に取り付けられる。盤裏カバー３０が遊技盤２に取り付けられた状態において、盤裏カバー３０と遊技盤２との間に形成される略閉鎖された内部空間には、液晶表示装置４および液晶ベース３が配置され、盤裏カバー蓋３２を開くと液晶表示装置４の後部が露出する。また、盤裏カバー３０は、後壁部３１の下部に主基板ケース１０を取付可能な基板ケース取付座部３５を備えている。基板ケース取付座部３５には、主基板ケース１０に形成された係止片部１７（図３参照）を係合させる係止孔部３６が形成されている。また、盤裏カバー３０は、基板ケース取付座部３５の左方側にあたる左下端部に、後述する封止手段５０を構成するカバー側封止部６２を備えている。
【００１９】
盤裏カバー３０の外表面３ａには、主基板ケース１０が配される。主基板ケース１０には、パチンコ遊技を制御する主制御基板５（図３参照）が収納されている。
【００２０】
図３に示すように、主基板ケース１０は、透明なポリカーボネート等の合成樹脂から形成されており、前方側の底側ケース１１と後方側の蓋側ケース１２とを備えて略箱形状に構成されるとともに、右縁側に、封止部１３（１３ａ，１３ｂ）を備えて構成されている。主基板ケース１０は、底側ケース１１と蓋側ケース１２との間に主制御基板５を収納して、第１の係合手段１４（１４ａ，１４ｂ）及び第２の係合手段１５（１５ａ，１５ｂ）を係合させることにより閉塞され、封止部１３を利用して開放不能に封止される。封止部１３は、蓋側ケース１２の蓋側封止部１３ａと底側ケース１１の底側封止部１３ｂとに跨るように、かしめピン１６を圧入することにより、主基板ケース１０を開放不能に封止するものであり、後述する遊技機枠４０と主基板ケース１０とを外れ不能に締結する封止手段５０と略同様に構成されている。
【００２１】
主基板ケース１０に収納される主制御基板５は、裏面５ａ（実装面５ｂの反対側の面）を底側ケース１１側に向けて、蓋側ケース１２に固定される。主制御基板５は、大当たり抽選（即ち、大当たり乱数の取得とその大当たり乱数を用いた判定）や遊技状態の移行など主に利益に関わる制御を行うものである。大当たり抽選は、遊技球の始動口への入賞に対して行われる。主制御基板５には、始動口に入賞した遊技球を検知する始動口スイッチ、大当たり遊技中に大入賞口を開口させる大入賞口ソレノイド、大入賞口に入賞した遊技球を検知する大入賞口スイッチなどが接続される。
【００２２】
主基板ケース１０は、底側ケース１１の外表面に係止片部１７を備えている。係止片部１７を係止孔部３６に挿入し、その後主基板ケース１０を基板ケース取付座部３５に対して左方へスライドさせることにより、係止片部１７は係止孔部３６に係合され、主基板ケース１０は、図１に示すように、盤裏カバー３０に取り付けられる。
【００２３】
図４に示すように、遊技機枠４０は、外枠４１と内枠４２とガラス扉枠４３とを備えている。外枠４１は、パチンコ遊技機１の外郭部となる枠体であり、内枠４２は、遊技盤２が取り付けられる枠体であり、ガラス扉枠４３は、遊技盤面を保護するとともに発射ハンドル装置２５などが配設される枠体である。ガラス扉枠４３は、遊技盤２の前面に形成される遊技領域を視認可能な透視窓として、ガラス板２６を備えている。遊技機枠４０は、右端部にヒンジ部４５を備えて構成され、ヒンジ部４５により、ガラス扉枠４３は、外枠４１および内枠４２に対してそれぞれ回動自在に連結され、内枠４２は、外枠４１およびガラス扉枠４３に対してそれぞれ回動自在に連結されている。具体的には、遊技機枠４０は、外枠４１の右上端部に設けられた外枠上側軸受部（図示せず）及び右下端部に設けられた外枠下側軸受部（図示せず）に対して、内枠４２の右上端部に設けられた内枠上側軸部（図示せず）及び右下端部に設けられた内枠下側軸部（図示せず）を回動自在に組み付けるとともに、内枠上側軸部及び内枠下側軸部に対して、ガラス扉枠４３の右上端部に設けられたガラス扉枠上側軸部（図示せず）及び右下端部に設けられたガラス扉枠下側軸部（図示せず）を回動自在に組みつけて構成されている。
【００２４】
遊技盤２は、内枠４２に対して前方から取り付けられる。内枠４２に取り付けられた遊技盤２は、図示しない固定部材で、内枠４２から外れるのを規制される。内枠４２に遊技盤２が取り付けられた状態において、遊技盤２の前面側の調整をする場合には、遊技機枠４０のガラス扉枠４３のみを開いて遊技盤２の前面側を露出させる。また、遊技盤２の裏面２ａ側の調整をする場合には、ガラス扉枠４３と内枠４２とを共に開いて、遊技盤２の裏面２ａ側を露出させる。なお、ガラス扉枠４３の後面の左上部には、このような遊技機枠４０の開放を検出するための枠開放ＳＷ（スイッチ）４４が配設されている。枠開放ＳＷ４４は、ガラス扉枠４３のみが開かれた場合、又は、ガラス扉枠４３が内枠４２とともに開かれた場合に、ＯＮされて、払出制御基板６に対して枠開放信号を出力する。
【００２５】
図４に示すように、内枠４２は、合成樹脂製とされ、前方から見て中央が貫通された略長方形の枠形状とされている。内枠４２に遊技盤２を取り付けた状態では、中央の貫通部７１から、液晶表示装置４、盤裏カバー３０、主基板ケース１０などが後方へ突出する（図５参照）。内枠４２は、右側部に回動軸（内枠上側軸部及び内枠下側軸部）を有して、外枠４１およびガラス扉枠４３に対して回動可能とされている。また、内枠４２は、左側部に施錠装置を有して、外枠４１およびガラス扉枠４３に対して、施錠可能となっている。なお、施錠装置は、左右方向の幅を薄肉とし上下方向に沿って延びる長尺薄板形状のものである。
【００２６】
内枠４２は、左側部における施錠装置の配置位置よりも内側に、上下方向に略沿って形成されたガイド溝７３を備える。ガイド溝７３には、締結部材７７の基端部７７ａが摺動可能に係合されている。
【００２７】
締結部材７７は、平面視略Ｌ字形状とされている。締結部材７７は、合成樹脂製の後板部材７８と板金製の側板部材７９とを備え、後板部材７８は側板部材７９に対して上下方向に沿った揺動軸８０周りに揺動可能に取り付けられている。側板部材７９は、左右方向を薄肉とし、上下方向が前後方向に比べて長い薄板形状である。側板部材７９の基端部（締結部材７７の基端部７７ａと同じ部分）は、平面視略Ｌ字形状の摺動部８１となっている。摺動部８１は、ガイド溝７３に対して摺動可能に係合されている。ガイド溝７３は、摺動部８１の形状に合うよう横断面を略Ｌ字形状に形成された溝である。ガイド溝７３は、内枠４２の左側部に形成された横断面を略コ字形状とする溝部７４と、この溝部７４に摺動部８１を配した後に内枠４２に取り付けられる押え板部７５とにより形成されている。押え板部７５は、金属製とされ、溝部７４の内面に接着されて、摺動部８１がガイド溝７３から外れるのを規制している。後板部材７８は、前後方向を薄肉とし、上下方向が左右方向に比べて長い薄板形状である。後板部材７８は、右縁部に、後述する封止手段５０を構成する枠側封止部５２を備えている。
【００２８】
遊技盤２は、図５に示すように内枠４２に取り付けられた後、封止手段５０を利用して内枠４２と盤裏カバー３０とが取り外し不能に締結されることにより、内枠４２に対して取り外し不能となる。なお、図１，４，５に示すように、内枠４２は、上部に、ホール設備からの遊技球を一時貯留しておくタンクレール４７を有するとともに、右側部に、タンクレール４７内の遊技球をパチンコ遊技機１の球受け皿（図示せず）へ送る払出装置４８を有している。遊技盤２が内枠４２に取り付けられた状態では、主基板ケース１０の右方に払出装置４８が接近して配置されるため、主基板ケース１０を右方へスライドさせて盤裏カバー３０から取り外すことはできない。また、遊技盤２が内枠４２に取り付けられた状態では、盤裏カバー３０と遊技盤２との締結部分は、内枠４２の前方側に位置して後方側に露出していないため、盤裏カバー３０を遊技盤２から取り外すことはできない。
【００２９】
封止手段５０は、図６に示すように、内枠４２に配設される枠側封止部５２と、盤裏カバー３０に配設されるカバー側封止部６２とを備え、両封止部５２，６２を相互に締結することにより、盤裏カバー３０を内枠４２に対して取り外し不能に締結するものである。なお、実施形態のパチンコ遊技機１では、図５に示すように、カバー側封止部６２は、盤裏カバー３０の左下端部に上下方向に沿って２つ、枠側封止部５２は、内枠４２における締結部材７７の後板部材７８の右縁に上下方向に沿って４つ設けられている。カバー側封止部６２と枠側封止部５２の数が異なる理由については後述する。以下、最も上に設けられているカバー側封止部６２と、上から３つ目に設けられている枠側封止部５２とで構成される封止手段５０を用いて、盤裏カバー３０と内枠４２とを取り外し不能に締結するものとして説明する。
【００３０】
枠側封止部５２は、図６に示すように、ホルダ部５３と、かしめピン５８とを備え、図４に示すように、後板部材７８の右縁部に設けられた略長方形枠形状の枠側収納部８２内に配設されている。
【００３１】
ホルダ部５３は、図４及び図６に示すように、略円筒形状に形成され、枠側収納部８２の左壁部８２ａと、枠側収納部８２の右壁部８２ｂとに対して、外周面５３ａから板状の連結片部５５，５６を伸ばして、後板部材７８に連結支持されている。
【００３２】
また、ホルダ部５３には、図６に示すように、かしめピン５８が嵌挿される嵌挿孔５４が形成されている。嵌挿孔５４は、ホルダ部５３を前後方向に貫通して形成されており、後方側から順に、六角柱穴状の大径部５４ａと、大径部５４ａより小径の円柱穴状の中径部５４ｂと、中径部５４ｂより小径の円柱穴状の小径部５４ｃとにより構成され、小径部５４ｃには、後述するかしめピン５８の軸部５９ｂが嵌挿される。
【００３３】
かしめピン５８は、金属製とされ、図６に示すように、ピン本体５９と支持リング６０とを備えている。ピン本体５９は、後端側の円板状の頭部５９ａと、頭部５９ａから前方に延びる小径円柱状の軸部５９ｂとを備えている。軸部５９ｂは、外径寸法ｄを嵌挿孔５４の小径部５４ｃの内径寸法Ｄと略等しくして形成されており、かしめピン５８は、ホルダ部５３に摺動可能に保持されている。軸部５９ｂの先端部５９ｃには、環状溝が設けられて、円板状の支持リング６０が嵌められている。
【００３４】
支持リング６０は、主基板ケース１０を内枠４２に取り外し不能に締結する際、ホルダ部５３と後述するカバー側封止部６２の嵌合部６３との間で位置規制されて、内周縁を軸部５９ｂの外周面に食い込ませ、かしめピン５８が引き抜かれるのを規制する。
【００３５】
一方、カバー側封止部６２は、図６に示すように、かしめピン５８が嵌挿される嵌合部６３を備え、図２に示すように、盤裏カバー３０の左下端部に設けられた略長方形枠形状のカバー側収納部２０内に配設されている。なお、カバー側収納部２０の後面は、基板ケース取付座部３５の後面と比べて後方へ突出している。
【００３６】
嵌合部６３は、ホルダ部５３の形状にあわせて略円筒形状に形成され、図６に示すように、後方側だけに開口して前方側に延びる嵌合孔６４を備えている。嵌合孔６４は、ピン本体５９の先端部５９ｃ側を圧入可能な小径部６４ｂと、小径部６４ｂの開口周縁に配設されて、支持リング６０を収納可能な大径部６４ａとを備えている。嵌合孔６４の小径部６４ｂの内径寸法は、嵌挿孔５４の小径部５４ｃの内径寸法Ｄと略一致する。
【００３７】
また、嵌合部６３は、図２及び図６に示すように、カバー側収納部２０の左壁部２０ａと、カバー側収納部２０の右壁部２０ｂとに対して、外周面６３ａから連結片部６５，６５を伸ばすとともに、カバー側収納部２０に対して天板部６６を伸ばして、盤裏カバー３０に連結支持されている。
【００３８】
盤裏カバー３０を内枠４２に締結するには、図６（ａ）（ｂ）に示すように、かしめピン５８を、ホルダ部５３から嵌合部６３に跨がるように押し込んでかしめ、軸部５９ｂを、ホルダ部５３の小径部５４ｃと嵌合部６３の小径部６４ｂとに跨がるように配置して、枠側封止部５２とカバー側封止部６２とを締結する。これにより、盤裏カバー３０の移動が規制され、盤裏カバー３０は内枠４２に対して取り外し不能に締結される。また、内枠４２に対して前方から取り付けられている遊技盤２も、盤裏カバー３０を介して内枠４２に対して締結されるため、内枠４２からの取り外し方向への移動が規制される。したがって、枠側封止部５２を破壊等して盤裏カバー３０と内枠４２との封止（すなわち、盤裏カバー３０と内枠４２との取り外し不能な締結）を解除しない限り、盤裏カバー３０を介して内枠４２と締結された遊技盤２を、内枠４２から取り外すことは不可能とされる。なお、ホルダ部５３の嵌挿孔５４には、盤裏カバー３０の締結後にかしめピン５８を引き抜くことができないように、後方からキャップ６７が外れ不能に嵌入される。
【００３９】
遊技盤２を内枠４２から取り外す場合には、ホルダ部５３から延びる二本の連結片部５５，５６を分断して（図６（ｂ）二点鎖線参照）、枠側封止部５２の連結を断った後、図７に示すように、枠側封止部５２を後方（取外方向）ＰＵへ移動させて、かしめピン５８を嵌合孔６４から引き抜く。これにより、内枠４２と盤裏カバー３０との封止が解除され、遊技盤を２内枠４２から外すことが可能となる。このように、遊技盤２を取り外す場合には、枠側封止部５２を切除しなければならないため、枠側封止部５２を切除した痕跡が遊技盤２を取り外したことの痕跡となる。
【００４０】
なお、内枠４２には枠側封止部５２が４つ設けられ、盤裏カバー３０にはカバー側封止部６２が２つ設けられていることから、一旦遊技盤２を取り外した後であっても、未使用の枠側封止部５２及びカバー側封止部６２を利用して、再び盤裏カバー３０を内枠４２に対して取り外し不能に締結することができる。この場合、例えば、枠側封止部５２は上から４つ目のものを使用し、カバー側封止部６２は上から２つ目のものを使用する。
【００４１】
また、新台入替など、盤裏カバー３０と内枠４２との締結を解除し、遊技盤２を内枠４２から外して、異なる遊技盤を内枠４２に取り付けた場合には、図８に示すように、締結部材７７を下方へスライドさせることにより、上から１つ目及び２つ目の枠側封止部５２を、新たに取り付けた遊技盤が備える盤裏カバー３０のカバー側封止部６２の位置に合わせることができる。そして、例えば、上から１つ目の枠側封止部５２と、盤裏カバー３０の最も上のカバー側封止部６２とを封止すれば、盤裏カバー３０を介して新たな遊技盤を内枠４２に対して外れ不能に締結することができる。
【００４２】
なお、第１実施形態のパチンコ遊技機１では、遊技盤２は、内枠４２の前方から取り付ける構成であるが、内枠４２の後方から取り付ける構成の場合には、図４に二点鎖線で示すように、締結部材７７の後板部材７８を揺動軸８０回りに平面視時計回り方向に揺動させることにより、遊技盤２の取り付けスペースをつくることができる。そして、後方から遊技盤２を内枠４２に取り付けた後、後板部材７８をもとの位置まで揺動させて締結部材７７をＬ字状に戻し、封止手段５０により盤裏カバー３０と内枠４２とを外れ不能に締結する。
【００４３】
なお、パチンコ遊技機１の背面側には、主制御基板５などの各基板を接続しているケーブルが多数配されているため、締結部材７７は、これらのケーブルの配置の邪魔にならないように、上下方向の長さ寸法をできる限り短くして（実施形態では、主制御基板５の上下方向の長さ寸法の２／３程度の長さで）形成されている。
【００４４】
以上説明したように、第１実施形態のパチンコ遊技機１は、遊技機枠４０と、遊技機枠４０の内部に取り付けられる遊技盤２と、遊技盤２の裏面２ａ側を略覆って遊技盤２に取り付けられる盤裏カバー３０と、盤裏カバー３０の外表面３０ａに配されることにより遊技盤２に取り付けられ、遊技を制御する主制御基板５を収納する主基板ケース１０とを備えている。遊技機枠４０は、盤裏カバー３０を遊技機枠４０に外れ不能に締結可能な締結手段を備えている。ここで、締結手段は、第１実施形態のパチンコ遊技機１では、カバー側封止部６２と枠側封止部５２とを備える封止手段５０、及び締結部材７７により構成されている。
【００４５】
第１実施形態のパチンコ遊技機１によれば、締結手段（封止手段５０及び締結部材７７）により盤裏カバー３０と遊技機枠４０とを締結することにより、盤裏カバー３０を介して遊技機枠４０に締結されている遊技盤２を遊技機枠４０から取り外し難くすることができる。よって、遊技盤２に取り付けられている主基板ケース１０に収納された主制御基板５に対する不正行為（主制御基板５の改造や変更等）の発生を抑制し得る。なお、盤裏カバー３０と遊技盤２との締結を解除した場合には、締結手段を破壊した痕跡、すなわち、枠側封止部５２を切除した痕跡が残るため、不正行為がなされたことを発見することができる。
【００４６】
特に、第１実施形態のパチンコ遊技機１は、締結手段（封止手段５０及び締結部材７７）により盤裏カバー３０と遊技機枠４０とが外れ不能に締結されている状態においては、盤裏カバー３０及び主基板ケース１０は、遊技機枠４０に取り付けられた遊技盤２から取り外せないように構成されるとともに、遊技盤２は、遊技機枠４０（内枠４２）からの取り外し方向への移動を規制されるように構成されている。換言すれば、締結手段（封止手段５０及び締結部材７７）により盤裏カバー３０と遊技機枠４０とが外れ不能に締結されている状態においては、盤裏カバー３０及び主基板ケース１０は、遊技機枠４０に取り付けられた遊技盤２から取り外すことができず、かつ、遊技機枠４０とともにでなければ遊技盤２の遊技機枠４０からの取り外し方向へ移動させることができないように構成されている。
【００４７】
よって第１実施形態のパチンコ遊技機１によれば、盤裏カバー３０と遊技機枠４０との締結を解除しない限り、遊技盤２を遊技機枠４０（内枠４２）から取り外すことができない。仮に締結を解除して遊技盤２を取り外すと締結手段を破壊した痕跡、すなわち、枠側封止部５２を切除した痕跡が残る。したがって、遊技盤２を遊技機枠４０から取り外して、その後遊技盤２に取り付けられている主基板ケース１０に収納された主制御基板５を改造又は変更する不正行為を抑制したり発見したりすることができる。
【００４８】
また、第１実施形態のパチンコ遊技機１では、遊技機枠４０は、外枠４１と、外枠４１の内側に回動自在に取り付けられた内枠４２とを備え、遊技盤２は、内枠４２に取り付けられ、締結手段（封止手段５０及び締結部材７７）は、内枠４２と盤裏カバー３０とを締結する。
【００４９】
したがって、遊技盤２が取り付けられる内枠４２と遊技盤２に取り付けられた盤裏カバー３０とが締結手段（封止手段５０及び締結部材７７）により締結されるため、内枠４２の外枠４１に対する回動（開き）が規制されることがない。よって、内枠４２を開いて遊技盤２の裏面２ａ側を点検したり修理したりする必要がある場合に、支障が生じない。
【００５０】
また、第１実施形態のパチンコ遊技機１では、締結部材７７の後板部材７８は側板部材７９に対して揺動軸８０を中心として揺動可能とされている。換言すれば、締結手段（封止手段５０及び締結部材７７）は内枠４２に対して変位可能とされている。したがって、内枠４２に対して遊技盤２を取り付ける場合に、締結手段（封止手段５０及び締結部材７７）が邪魔となる場合には、締結手段（封止手段５０及び締結部材７７）を変位させることにより、遊技盤２を内枠４２に取り付けることができる。
【００５１】
また、第１実施形態のパチンコ遊技機１では、締結手段（封止手段５０及び締結部材７７）は、盤裏カバー３０に設けられるカバー側封止部６２と、遊技機枠４０に設けられる枠側封止部５２とを備え、カバー側封止部６２と枠側封止部５２とを締結することにより盤裏カバー３０を遊技機枠４０に締結する構成とされ、枠側封止部５２は、複数設けられ、カバー側封止部６２に対して移動可能とされている。
【００５２】
よって第１実施形態のパチンコ遊技機１によれば、例えば新台入替の場合など、一旦カバー側封止部６２と枠側封止部５２との締結を解除し、遊技盤２を遊技機枠４０から取外して、異なる遊技盤を遊技機枠４０に取り付けた場合に、新しく取り付けた遊技盤におけるカバー側封止部６２の位置に、未使用の枠側封止部５２を移動させることにより（図８参照）、再び盤裏カバー３０と遊技機枠４０とを締結することができる。
【００５３】
また、第１実施形態のパチンコ遊技機１では、封止手段５０は、遊技機枠４０側に配される枠側封止部５２を切除することにより、締結が解除される構成となっている（図７参照）。よって、盤裏カバー３０と遊技機枠４０との締結を解除した痕跡は、遊技機枠４０側に残るため、盤裏カバー３０を傷つけることがない。
【００５４】
２．第２実施形態
次に、第２実施形態のパチンコ遊技機１Ａについて、図９,１０に基づいて説明する。なお、第２実施形態のパチンコ遊技機１Ａにおいて、第１実施形態のパチンコ遊技機１と同様の構成については、第１実施形態のパチンコ遊技機１と同様の符号を付して説明を省略する。
【００５５】
第１実施形態のパチンコ遊技機１では、内枠４２が締結部材７７を備え、内枠４２と盤裏カバー３０とを封止手段５０により外れ不能に締結するよう構成したが、第２実施形態のパチンコ遊技機１Ａでは、外枠４１が締結部材９０を備え、外枠４１と盤裏カバー３０とを封止手段５０により外れ不能に締結するよう構成している。すなわち、第１実施形態のパチンコ遊技機１と第２実施形態のパチンコ遊技機１Ａとは、締結部材が設けられている部分が内枠４２であるか外枠４１であるかの点で異なっており、主基板ケース１０や盤裏カバー３０、封止手段５０などの構成は互いに同様である。
【００５６】
図９に示すように、第２実施形態のパチンコ遊技機１Ａでは、外枠４１は、金属製とされ、後方から見て上下方向を長手方向とする略長方形状の枠である。外枠４１は、左側部の後面側に、上下方向に略沿って延びるガイド溝８６を備える。ガイド溝８６には、後述する締結部材９０の基端部９０ａ（摺動部８１を構成する）が摺動可能に係合されている。ガイド溝８６は、横断面を略Ｌ字形状に形成された溝である。ガイド溝８６は、外枠４１の左側部に形成された横断面を略コ字形状とする溝部８７と、この溝部８７に摺動部８１を配した後に外枠４１に取り付けられる押え板部８８とにより形成されている。押え板部８８は、金属製とされ、溝部８７の内面に接着されて、摺動部８１がガイド溝８６から外れるのを規制している。
【００５７】
締結部材９０は、平面視略Ｌ字形状とされ、左右方向を薄肉として前後方向に延びる側板部材９２と、前後方向を薄肉として左右方向に延びる後板部材９１とを備えている。側板部材９２と後板部材９１とは、リンク機構（リンク部材９６，９７）によって連結されている。リンク部材９６，９７は、回動軸９３,９４,９５を回動中心としてそれぞれ回動可能とされている。
【００５８】
第２実施形態のパチンコ遊技機１Ａでは、図９に示すように遊技盤２が内枠４２に取り付けられた後、封止手段５０により外枠４１と盤裏カバー３０とが取り外し不能に締結される。封止手段５０は、第１実施形態のパチンコ遊技機１と同様の構成であり、外枠４１に配設される枠側封止部５２と、盤裏カバー３０に配設されるカバー側封止部６２とを相互に締結することにより、盤裏カバー３０を外枠４１に対して取り外し不能に締結するものである。
【００５９】
封止手段５０により外枠４１と盤裏カバー３０とが取り外し不能に締結されると、盤裏カバー３０の移動が規制される。また、内枠４２に対して前方から取り付けられている遊技盤２は、盤裏カバー３０を介して外枠４１に対して締結される。この状態で、遊技盤２を内枠４２から取り外して前方へ移動させようとした場合、リンク部材９６，９７の左端部及び後板部材９１の左端部が内枠４２の左端部に当接して、リンク部材９６，９７の回動が規制される。よって、遊技盤２の前方への移動、すなわち、遊技盤２の内枠４２からの取り外し方向への移動は規制される。
【００６０】
但し、第２実施形態のパチンコ遊技機１Ａでは、締結部材９０を構成する側板部材９２と、後板部材９１とがリンク機構（リンク部材９６，９７）によって連結されているため、遊技機のメンテナンス時など、ガラス扉枠４３と内枠４２とを外枠４１に対して共に開く場合には、リンク部材９６，９７が回動軸９３,９４,９５を回動中心としてそれぞれ回動し、図９に示す状態から図１０に示す状態に変化する。したがって、封止手段５０により外枠４１と盤裏カバー３０とが外れ不能に締結されていても、内枠４２の開放が規制されることがない。
【００６１】
また、第２実施形態のパチンコ遊技機１Ａでは、第１実施形態のパチンコ遊技機１と同様、締結部材９０がガイド溝８６を上下方向にスライド可能なので（図９二点鎖線参照）、一旦、主基板ケース１０と外枠４１との締結を解除した場合であっても、カバー側封止部６２の位置に、使用していない枠側封止部５２の位置を合わせることにより、再度、盤裏カバー３０と外枠４１とを封止することができ、盤裏カバー３０を介して遊技盤２を外枠４１に対して外れ不能に締結することができる。
【００６２】
以上説明したように、第２実施形態のパチンコ遊技機１Ａは、遊技機枠４０と、遊技機枠４０の内部に取り付けられる遊技盤２と、遊技盤２の裏面２ａ側を略覆って遊技盤２に取り付けられる盤裏カバー３０と、盤裏カバー３０の外表面３０ａに配されることにより、遊技盤２に取り付けられる主基板ケース１０であって、遊技を制御する主制御基板５を収納する主基板ケース１０とを備えている。遊技機枠４０は、盤裏カバー３０を遊技機枠４０に外れ不能に締結可能な締結手段を備えている。ここで、締結手段は、第２実施形態のパチンコ遊技機１Ａでは、カバー側封止部６２と枠側封止部５２とを備える封止手段５０、及び締結部材９０により構成されている。
【００６３】
第２実施形態のパチンコ遊技機１Ａによれば、締結手段（封止手段５０及び締結部材９０）により盤裏カバー３０と遊技機枠４０とを締結することにより、盤裏カバー３０を介して遊技機枠４０に締結されている遊技盤２を遊技機枠４０から取り外し難くすることができる。よって、遊技盤２に取り付けられている主基板ケース１０に収納された主制御基板５に対する不正行為（主制御基板５の改造や変更等）の発生を抑制し得る。なお、盤裏カバー３０と遊技盤２との締結を解除した場合には、締結手段を破壊した痕跡、すなわち、枠側封止部５２を切除した痕跡が残るため、不正行為がなされたことを発見することができる。
【００６４】
また、第２実施形態のパチンコ遊技機１Ａでは、前記締結手段（封止手段５０及び締結部材９０）により盤裏カバー３０と遊技機枠４０とが外れ不能に締結されている状態においては、盤裏カバー３０及び主基板ケース１０は、遊技機枠４０に取り付けられた遊技盤２から取り外せないように構成されるとともに、遊技盤２は、遊技機枠４０からの取り外し方向への移動を規制されるように構成されている。したがって、盤裏カバー３０と遊技機枠４０との締結を解除しない限り、遊技盤２を遊技機枠４０から取り外すことができない。仮に締結を解除して遊技盤２を取り外すと締結手段を破壊した痕跡、すなわち、枠側封止部５２を切除した痕跡が残る。したがって、遊技盤２を遊技機枠４０から取り外して、その後遊技盤２に取り付けられている主基板ケース１０に収納された主制御基板５を改造又は変更する不正行為を抑制したり発見したりすることができる。
【００６５】
また、第２実施形態のパチンコ遊技機１Ａでは、遊技機枠４０は、外枠４１と、外枠４１の内側に回動自在に取り付けられた内枠４２とを備え、遊技盤２は、内枠４２に取り付けられ、締結手段（封止手段５０及び締結部材９０）は、外枠４１と盤裏カバー３０とを締結している。したがって、遊技盤２が取り付けられた内枠４２を外枠４１から取り外そうとしても、外枠４１と遊技盤２とが盤裏カバー３０を介して締結手段（封止手段５０及び締結部材９０）により締結されているため、内枠４２ごと遊技盤２を遊技機枠４０から取り外すことができない。よって、遊技盤２の取り付けられた内枠４２が外枠４１から外されてしまうのを防止することができる。
【００６６】
また、第２実施形態のパチンコ遊技機１Ａでは、締結手段（封止手段５０及び締結部材９０）は、内枠４２が外枠４１に対して回動するのに伴って変位するよう構成されている（図１０参照）。したがって、内枠４２の外枠４１に対する回動（開き）が規制されることがない。よって、内枠４２を開いて遊技盤２の裏面２ａ側を点検したり修理したりする必要がある場合に、支障が生じない。
【００６７】
また、第２実施形態のパチンコ遊技機１Ａでは、締結手段（封止手段５０及び締結部材９０）は、盤裏カバー３０に設けられるカバー側封止部６２と、遊技機枠４０に設けられる枠側封止部５２とを備え、カバー側封止部６２と枠側封止部５２とを締結することにより盤裏カバー３０を遊技機枠４０（外枠４１）に締結する構成とされ、枠側封止部５２は、複数設けられ、カバー側封止部６２に対して移動可能とされている（図９二点鎖線参照）。したがって、例えば新台入替の場合など、一旦カバー側封止部６２と枠側封止部５２との締結を解除し、遊技盤２を遊技機枠４０から取外して、異なる遊技盤を遊技機枠４０に取り付けた場合に、新しく取り付けた遊技盤におけるカバー側封止部６２の位置に、未使用の枠側封止部５２を移動させることにより、再び盤裏カバー３０と遊技機枠４０（外枠４１）とを締結することができる。
【００６８】
３．変更例
以上、本発明の実施形態について説明したが、本発明の実施にあたっては、上記実施形態に限定されるものではなく、特許請求の範囲を逸脱しない限りにおいて種々の構成を採り得る。
【００６９】
例えば、実施形態では、主基板ケース１０は、盤裏カバー３０の外表面３０ａに配されることにより遊技盤２に取り付けられる構成としたが、図１１に示すように、盤裏カバー３０Ａと遊技盤２とにより形成される内部空間Ｓに配されることにより遊技盤２に取り付けられるよう構成してもよい。具体的には、図１１に示す変更例のパチンコ遊技機１Ｂのように、盤裏カバー３０Ａの下端部３８の後面が盤裏カバー蓋３２の後面と略面一となるように構成された盤裏カバー３０Ａを用いて、盤裏カバー３０Ａの下端部３８の内面側に図示しない固定手段により主基板ケース１０を固定して、主基板ケース１０が盤裏カバー３０と遊技盤２とにより形成される内部空間Ｓに配されるよう構成する。
【００７０】
また、実施形態では、締結部材７７は、内枠４２又は外枠４１の左側部に取り付けて構成したが、遊技機枠４０と主基板ケース１０とを外れ不能に締結可能であれば、締結部材７７は、遊技機枠４０のいずれの位置に設けてもよい。たとえば、締結部材７７を、内枠４２又は外枠４１の右側部に設けて構成してもよい。
【００７１】
また、第２実施形態では、枠側封止部５２を備える後板部材９１を、側板部材９２に対してリンク部材９６，９７により連結し、側板部材７９を外枠４１に配設する構成としたが、枠側封止部５２を備える後板部材９１を金属性の鎖やワイヤーなどの連結部材によって外枠４２に連結する構成としてもよい。この場合、連結部材は、内枠４２が閉められている状態においては撓み、内枠４２を開放したときには延びるような長さで構成し、内枠４２が外枠４１に対して開くことができるように構成する。
【００７２】
また、第２実施形態では、後板部材９１と側板部材９２とをリンク部材９６，９７により連結し、内枠４２を開いた際に、内枠４２と共に移動する遊技盤２につられて、後板部材９１も移動するよう構成したが（図１０参照）、内枠４２の開放を考慮しなければ、第１実施形態の締結部材７７と同様の構成の締結部材を、外枠４１に設けて構成してもよい。
【００７３】
また、実施形態では、封止手段５０は、かしめピンにより封止部相互を締結する構成としたが、遊技機枠４０と盤裏カバー３０とを取り外し不能に締結可能であれば、他の構成のものを用いてもよい。例えば、かしめピンを利用せず、鉄片を用いて封止部相互を締結する構成や、ワンウェイネジを用いて封止部相互を締結する構成などを採用することができる。また、遊技機枠４０と盤裏カバー３０とに錠前取付部を設け、南京錠や符号錠などの鍵を用いて、両錠前取付部に跨るように錠前をかけて、遊技機枠４０と盤裏カバー３０とを取り外し不能に締結したり、電子錠を用いて遊技機枠４０と盤裏カバー３０とを取り外し不能に締結したりする構成を、締結手段として採用してもよい。
【符号の説明】
【００７４】
１，１Ａ…パチンコ遊技機
２…遊技盤
２ａ…遊技盤の裏面
５…主制御基板
１０…主基板ケース
３０…盤裏カバー
４０…遊技機枠
４１…外枠
４２…内枠
５０…封止手段（締結手段）
５２…枠側封止部（締結手段）
６２…カバー側封止部（締結手段）
７７，９０…締結部材（締結手段）
【図１】
0005624854.tif 000002
【図２】
0005624854.tif 000003
【図３】
0005624854.tif 000004
【図４】
0005624854.tif 000005
【図５】
0005624854.tif 000006
【図６】
0005624854.tif 000007
【図７】
0005624854.tif 000008
【図８】
0005624854.tif 000009
【図９】
0005624854.tif 000010
【図１０】
0005624854.tif 000011
【図１１】
0005624854.tif 000012